(57)【特許請求の範囲】
【請求項１】
戸当たり部と、戸当たり部から突設され、ドア枠の嵌合溝に嵌着される２条の支持脚部と、支持脚部の先端部間に張設された厚さが０.１〜０.７ｍｍの硬質樹脂からなる可撓性と弾発力とを有する接着用薄肉片部とで構成された事を特徴とする戸当たり材。
【請求項２】
接着用薄肉片部が外方に凸状に成形されている事を特徴とする請求項１に記載の戸当たり材。
【請求項３】
ドア枠の表面に長手方向に形成された嵌合溝に接着剤を盛り上げて塗布した後、請求項１または２の戸当たり材の支持脚部をドア枠の嵌合溝に押圧嵌入し、支持脚部の先端部分の接着用薄肉片部によって、接着剤を嵌合溝の底面に押し広げ、少なくとも接着用薄肉片部と嵌合溝とを接着一体化した事を特徴とする戸当たり材付きドア枠の製造方法。
【発明の詳細な説明】
【０００１】
【産業上の利用分野】
本発明は、建築物の、特に内装ドアに適用するに快適な戸当たり材と、この戸当たり材を用いて、生産性よく製造できる戸当たり材付きドア枠の製造方法に関する。
【０００２】
【従来の技術】
住宅用の内装ドアなどに用いられる戸当たり材として、戸当たり部を有し、ドア枠に凹設された嵌合溝に嵌入する支持脚部を備えた戸当たり材はよく知られている。この戸当たり材の素材については、塩化ビニルなどの硬質樹脂などが一般的に使用され、これら樹脂を押し出し成形してさまざまな形状の樹脂製戸当たり材が製造されている。
これらの戸当たり材は、ドア枠と別体で施工現場に運び込み、現場施工で取り付けることもできるが、最近では工場で工業的に接合固定されて戸当たり材付きドア枠として製造されることが多い。
このとき、戸当たり材の支持脚部に可撓性を持たせて、戸当たり材の支持脚部の巾と嵌合溝の微妙な寸法のずれに対応する方法は広く用いられている。（特開平７−２５２９７８号  実用新案登録第２５００２７８号参照)
【０００３】
これらの技術は接着時の養生時間の短縮のために戸当たり材自体に仮固定のための嵌合力を持たせるのが目的である。しかし、戸当たり材の支持脚部の長さと嵌合溝の深さとの誤差に対応性を持たせる技術はない。
又、一般的なドア枠の製造方法として、嵌合溝の底面に接着剤を入れ、この上から戸当たり材の支持脚部を押圧嵌入することによって接着剤を溝底面に押し広げる事が行われているが、前述のように支持脚部の長さと嵌合溝の深さとの誤差に対応性がないために嵌合溝の深さの微妙な誤差によって接着剤の展延状態に差が生じ、接着剤の接合力に大きな差が出る。
【０００４】
【本発明が解決しようとする課題】
本発明にかかる戸当たり材はこれらの従来技術を鑑みたもので、戸当たり材の支持脚部の先端部間に可撓性を持った接着用薄肉片部を設けることで、支持脚部を嵌合溝に押圧嵌入する際にドアの嵌合溝の底面に盛り上がるように塗布された接着剤を塗り広げると共に、嵌合溝の深さの微妙な寸法の誤差に対応でき、少なくとも接着用薄肉片部と嵌合溝の接着面積が最大となり、戸当たり材の支持脚部と嵌合溝の接着性の向上をその解決課題とし、更には本発明の戸当たり材を使用することにより戸当たり材の装着強度が均一な性能を有するドア枠を工場にて大量生産できるようにする事にある。
【０００５】
【課題を解決するための手段】
「請求項１」は本発明の戸当たり材(A)に関し、『戸当たり部(1)と、戸当たり部(1)から突設され、ドア枠(10)の嵌合溝(11)に嵌着される２条の支持脚部(2)と、支持脚部(2)の先端部間に張設された厚さが０.１〜０.７ｍｍの硬質樹脂からなる可撓性と弾発力とを有する接着用薄肉片部(3)とで構成された』ことを特徴とする。
【０００６】
これによれば、支持脚部(2)が嵌合溝(11)の深さより小なる場合、接着剤(4)が盛り上げ塗布されたドア枠(10)の嵌合溝(11)に戸当たり材(A)の支持脚部(2)を圧入すると、支持脚部(2)は嵌合溝(11)内に押し込まれて行き、接着用薄肉片部(3)によって嵌合溝(11)の中央部に盛り上げ塗布された接着剤(4)を押し広げる。
【０００７】
逆に、支持脚部(2)が嵌合溝(11)の深さにほぼ等しいか或いは僅かに大なる場合には、前述のように押し広げられた接着剤(4)は、更に支持脚部(2)の側面と嵌合溝(11)の内側面との間迄侵入する。
その結果、支持脚部(2)の長さと嵌合溝(11)の深さに誤差がある場合でも、接着用薄肉片部(3)の働きで接着剤(4)が両側へ押し広げられ、少なくとも接着用薄肉片部(3)と嵌合溝(11)の底面とが全面にわたって接着される事になり、接着不良を生じない。
【０００８】
「請求項２」は、接着用薄肉片部(3)の改良に関し、『接着用薄肉片部(3)が外方に凸状に成形されている』ことを特徴とするもので、これによれば戸当たり材(A)の支持脚部(2)を嵌合溝(11)に圧入した時、接着用薄肉片部(3)の外側に突曲した部分（中央突曲部分）によってより効果的に盛り上げ塗布された接着剤(4)を押し広げる事ができる。
【０００９】
「請求項３」は請求項１又は２に記載の戸当たり材(A)を使用して戸当たり材付きドア枠(B)を製造する方法に関し、『ドア枠(10)の表面に長手方向に凹設されたの嵌合溝(11)に接着剤(4)を塗布した後、請求項１又は２の戸当たり材(A)の支持脚部(2)をドア枠(10)の嵌合溝(11)に押圧嵌入し、支持脚部(2)の先端部分の接着用薄肉片部(3)によって、接着剤(4)を嵌合溝(11)の底面に押し広げ、少なくとも接着用薄肉片部(3)と嵌合溝(11)とを接着一体化した』事を特徴とする。
【００１０】
これによれば、前述のように支持脚部(2)の長さと嵌合溝(11)の深さとの間に誤差があったとしても、自動的に接着用薄肉片部(3)によって嵌合溝(11)の中央部に盛り上げ塗布された接着剤(4)を押し広げる事ができて少なくとも接着用薄肉片部(3)と嵌合溝(11)の底面とを全面にわたって接着出来、接着不良のない戸当たり材付きドア枠(B)を工場にて大量生産する事が出来る。
【００１１】
【実施例】
本発明の戸当たり材(A)は、嵌合溝(11)を有するドア枠(10)に嵌め込んで使用される長尺物で、全体が硬質樹脂（例えば硬質塩化ビニル）の押出成形で形成されている。以下、戸当たり材(A)の第１実施例を図１に従って詳述する。
戸当たり材(A)は、戸当たり部(1)と、２条の支持脚部(2)及び支持脚部(2)の先端部間に張設されている接着用薄肉片部(3)とで構成されている。
戸当たり部(1)は、矩形断面で一面が長手方向に開口したもので、戸当たり部(1)の開口側の面(1b)から２条の支持脚部(2)が長手方向に平行に突設されている。支持脚部(2)の先端部間には接着用薄肉片部(3)が長手方向全長に亙って張設されており、その厚さは０.１〜０.７ｍｍ好ましくは０.２〜０.５ｍｍである。
ここで、戸当たり部(1)の幅は、２条の支持脚部(2)の外寸より大きく、戸当たり部(1)の開口側の面(1b)の角にエッジ(7)が形成される。
また、支持脚部(2)の外側には長手方向に鋸歯状の係合凸条(6)が複数段形成されている。
【００１２】
前記接着用薄肉片部(3)は、図１のように支持脚部(2)の先端部の間に平坦に形成されている場合や、図２のように予め外側に突曲して形成されている場合があり、後者の場合、支持脚部(2)を嵌合溝(11)に圧入した時に外方により容易に突曲する。また、接着用薄肉片部(3)は十分な可撓性を有しており、嵌合溝(11)に圧入する事によって支持脚部(2)を両側から押圧して支持脚部(2)を互いに内側に先細状に撓ませると、支持脚部(2)の先端部の間に張設されている接着用薄肉片部(3)も押し出されて外側に撓むようになっている。
接着用薄肉片部(3)は、その厚さが０.１ｍｍ以下では弾発力がなくなり、嵌合溝(11)の底面に塗布された接着剤(4)に押圧されると接着剤(4)に負けて内側に変形し、接着剤(4)を押し広げる力がなくなる。その場合には接着用薄肉片部(3)の弾発力がなくなることによって、支持脚部(2)と嵌合溝(11)との係止力も減少する。
逆に、０.７ｍｍ以上の厚さでは接着用薄肉片部(3)に可撓性がなくなり、嵌合溝(11)に圧入しようとして支持脚部(2)を両側から押圧しても接着用薄肉片部(3)が殆ど撓まないので、支持脚部(2)を先細状に撓ませる事が困難となり、嵌合溝(11)に支持脚部(2)を圧入し難くなる。
【００１３】
支持脚部(2)は接着用薄肉片部(3)が撓む事によって嵌合溝(11)への嵌入が容易になる。そして接着用薄肉片部(3)の撓み方向は嵌合溝(11)に向かって凸であり（図３(c)(d)参照）、かつ硬質樹脂で形成されているため、可撓性を有するも、ある程度の強度と弾発力を兼ね備えている。
【００１４】
戸当たり部(1)の開口側の面(1b)のエッジ(7)は直角に形成してもよいが、図２のように戸当たり部(1)の側面(1a)に対して開口側の面(1b)が内側に後退した直角に近い鋭角に形成しても良く、その場合にはドア枠(10)の取付面(10c)とエッジ(7)との接触性が向上し、隙間が生じなくなる。
【００１５】
図２の実施例では第１実施例の戸当たり材(A)の戸当たり部(1)の頂部の一方のエッジから戸当たり用軟質舌片(5)が一体的に押出成形された場合である。戸当たり用軟質舌片(5)は、クッション的な役割を果たすと共に隙間防止の役割も果たし、例えば軟質塩化ビニルにて形成されている。
【００１６】
ドア枠(10)は、断面矩形の長尺物であり、コア材(10a)の外周に化粧材(10ｂ)が取着されており、戸当たり材(A)の取付面の中央に長手方向に嵌合溝(11)が凹設されている。
一般的には嵌合溝(11)の深さは戸当たり材(A)の支持脚部(2)の長さに合わせて凹設されているが、支持脚部(2)の長さに比べて浅かったり深かったりし、若干の誤差が生ずることは避けられない。
このドア枠(10)は、例えば、図５のように部屋の出入口(13)の開口枠(14)に取り付けて使用される。(12)は室内ドアで、一方のドア枠（図示せず)に蝶着されており、室内ドア(12)を閉じた時に戸当たり材(A)に室内ドア(12)の端部が当接して出入口(13)を閉塞するようになっている。
【００１７】
次に図３(a)〜(g)及び図４に従って、戸当たり材(A)をドア枠(10)に取着する手順について説明する。嵌合溝(11)を上にしてドア枠(10)をセットし、嵌合溝(11)の中央に嵌合溝(11)の長手方向に連続的又は断続的に接着剤(4)を盛り上げるように塗布する。
接着剤(4)の材質は特に限定されないが、本実施例ではホットメルト系接着剤が用いられる。［図３(a)］
図３(b)は、接着剤(4)が嵌合溝(11)内に盛り上げ塗布された時の拡大断面図である。
【００１８】
次に、戸当たり材(A)の支持脚部(2)を嵌合溝(11)内に圧入して行くのであるが、工場作業であるので、図４のように上下両側からローラ(15)で挟持し、支持脚部(2)を嵌合溝(11)内に圧入して行く。嵌合溝(11)の溝幅は、支持脚部(2)の外面間の幅より若干狭いので、図３(c)のように嵌合溝(11)によって支持脚部(2)が圧し狭まれ、これと同時に平坦な接着用薄肉片部(3)が外側に押し出されるように屈曲して嵌合溝(11)内に押し込まれて行く。
【００１９】
このとき、接着用薄肉片部(3)の中央突曲部分は、支持脚部(2)の長さより深くまで嵌入され、嵌合溝(11)の中央部に盛り上げ塗布された接着剤(4)を押し広げる効果もある。［図３(d)、(e)］
支持脚部(2)の圧入が終わると撓んでいた接着用薄肉片部(3)がその弾発力によって伸長して撓みを解放し、これによって支持脚部(2)の側面に設けられた係合凸部(6)が嵌合溝(11)の内側面に強く押圧係合して接着養生に必要な保持力が得られる事になる。
なお、前述のように接着用薄肉片部(3)を予め外側に突出しているように形成しておく事も可能であり、その場合には支持脚部(2)を両側から押圧した場合、接着用薄肉片部(3)を外側に突出させやすく且つ外側への突出が大であるので、接着剤(4)の押し広げ作用が大である。
【００２０】
次に、戸当たり材(A)の支持脚部(2)の長さと嵌合溝(11)の深さとに誤差がある場合にて説明する。
図３(f)は、支持脚部(2)が嵌合溝(11)の深さとほぼ等しいか僅かに大なる場合で、この場合は支持脚部(2)が嵌合溝(11)の底面に接する処まで圧入され、接着剤(4)が接着用薄肉片部(3)に強く押圧されて嵌合溝(11)の底面から支持脚部(2)の側面と嵌合溝(11)の内側面との間迄押し出されて侵入すると同時に嵌合溝(11)の底部に残留した接着剤(4)によって接着用薄肉片部(3)が内側に凹曲させられ、この部分が接着剤溜まりとなる。
図３(g)は、逆に支持脚部(2)が嵌合溝(11)の深さにより小なる場合で、この場合は外側に突出した接着用薄肉片部(3)の働きで接着剤(4)が両側へ押し広げられ、接着用薄肉片部(3)及び支持用脚部(2)の先端面と嵌合溝(11)の底面とが全面にわたって接着される事になる。
【００２１】
又、戸当たり材(A)の戸当たり部(1)の支持脚部側の両エッジ(7)が鋭角に形成されている場合、エッジ(7)の先端がドア枠(10)の取付面に密に線接触することになり、エッジ(7)を直角に形成した場合により仕上げが美しくなる。
【００２２】
【本発明の効果】
本発明の戸当たり材は、支持脚部の先端部間に弾力的に撓み得る接着用薄肉片部を有するので、ドア枠の嵌合溝に支持脚部を圧入した時に接着用薄肉片部が外側に撓んで突出し、溝底に盛り上げ塗布された接着剤を溝底全体に押し広げ、これによって接着用片部は勿論支持脚部との接着も達成でき、安定的な戸当たり材のドア枠への接着が確保できる。また、このようにすることにより工場ラインへの適用も可能となり、生産性を飛躍的に向上させることができる。また戸当たり材そのものは実際にドアと当たる軟質舌片以外は、硬質性樹脂によって全体が一体成形されるもので、簡易且つ安価で製造できる。
【図面の簡単な説明】
【図１】本発明の戸当たり材の第１実施例の断面図
【図２】本発明の戸当たり材の第２実施例の断面図
【図３】(a)本発明に使用するドア枠の嵌合溝に接着剤を盛り上げ塗布している状態の部分斜視図
(b)嵌合溝に接着剤が盛り上げ塗布された状態の部分拡大断面図
(c)嵌合溝に戸当たり材を圧入している初期段階の部分拡大断面図
(d)嵌合溝に戸当たり材を圧入している中盤段階の部分拡大断面図
(e)嵌合溝に戸当たり材を圧入している終盤段階の部分拡大断面図
(f)支持脚部が嵌合溝の深さとほぼ等しいか或いは僅かに大なる場合の戸当たり材の嵌合溝への取付状態を示す部分拡大断面図
(g)支持脚部が嵌合溝の深さにより小なる場合の戸当たり材の嵌合溝への取付状態を示す部分拡大断面図
【図４】本発明の戸当たり材をドア枠にローラにて圧入している状態の部分斜視図
【図５】本発明の戸当たり材付きドア枠を出入口の開口枠に取着した場合の要部拡大断面図
【符号の説明】
(A)…戸当たり材
(1)…戸当たり部
(2)…支持脚部
(3)…接着用薄肉片部
(4)…接着剤
(10)…ドア枠
(11)…嵌合溝
【図１】
0004101318.tif 000002
【図２】
0004101318.tif 000003
【図３】
0004101318.tif 000004
【図４】
0004101318.tif 000005
【図５】
0004101318.tif 000006